(57)【要約】【課題】  床板の連結作業を行いやすくする。【解決手段】  床板本体３の相互に対向する縁部の一方に雄実４が、同他方に雌実５が形成された床板１において、前記雌実５を形成する下側側壁７に上下方向に貫通する貫通孔８が形成され、この貫通孔８に連結片１０が上下動自在に嵌められ、この連結片１０の上部が嵌まる凹所１１が雄実の下部に形成されており、連結片１０の下端部は、雄実４を雌実５に嵌める際に連結片１０が雄実４と衝突・干渉しないように下側に退避した状態で、床板本体３の下面から下方に突出するようになされている。【選択図】  図３
2005207010.tif 000002
【特許請求の範囲】
【請求項１】
床板本体の相互に対向する縁部の一方に雄実が、同他方に雌実が形成された床板において、前記雌実を形成する下側側壁に上下方向に貫通する貫通孔が形成され、この貫通孔に連結片が上下動自在に嵌められ、この連結片の上部が嵌まる凹所が雄実の下部に形成されており、連結片の下端部は、雄実を雌実に嵌める際に連結片が雄実と衝突・干渉しないように下側に退避した状態で、床板本体の下面から下方に突出するようになされている床板。
【請求項２】
床板本体の相互に対向する縁部の一方に雄実が、同他方に雌実が形成された床板において、前記雌実を形成する下側側壁に突出壁が外方突出状に連設され、この突出壁が嵌まる凹段部が雄実側の床板本体の下部に形成され、前記突出壁に上下方向に貫通する貫通孔が形成され、この貫通孔に連結片が上下動自在に嵌められ、この連結片の上部が嵌まる凹所が、凹段部が形成された床板本体に形成されており、連結片の下端部は、雄実を雌実に嵌める際に連結片が雄実と衝突・干渉しないように下側に退避した状態で、床板本体の下面から下方に突出するようになされている床板。
【発明の詳細な説明】
【技術分野】
【０００１】
本発明は床板に関する。
【背景技術】
【０００２】
従来、この種の床板として以下の如きものは知られている。
床板本体の相互に対向する縁部の一方に雄実が、同他方に雌実が形成された床板において、前記雌実を形成する下側側壁に突出壁が外方突出状に連設され、この突出壁が嵌まる凹段部が雄実側の床板本体の下部に形成され、前記凹段部が形成された床板本体に連結片が下向き突設され、この連結片が嵌まる凹所が突出壁に形成されたものは知られている。
【特許文献１】特開平７−３００，９７９号公報
【発明の開示】
【発明が解決しようとする課題】
【０００３】
前記従来の床板には以下の如き欠点があった。
雄実を雌実に嵌める作業と、連結片を凹所に嵌める作業とを一挙・同時に行う必要があるので、床板の連結作業が行いにくいという欠点があった。
【課題を解決するための手段】
【０００４】
本発明は前記欠点を解消するために以下の如き手段を採用した。
（１）請求項１の発明は、床板本体の相互に対向する縁部の一方に雄実が、同他方に雌実が形成された床板において、前記雌実を形成する下側側壁に上下方向に貫通する貫通孔が形成され、この貫通孔に連結片が上下動自在に嵌められ、この連結片の上部が嵌まる凹所が雄実の下部に形成されており、連結片の下端部は、雄実を雌実に嵌める際に連結片が雄実と衝突・干渉しないように下側に退避した状態で、床板本体の下面から下方に突出するようになされているものである。
（２）請求項２の発明は、床板本体の相互に対向する縁部の一方に雄実が、同他方に雌実が形成された床板において、前記雌実を形成する下側側壁に突出壁が外方突出状に連設され、この突出壁が嵌まる凹段部が雄実側の床板本体の下部に形成され、前記突出壁に上下方向に貫通する貫通孔が形成され、この貫通孔に連結片が上下動自在に嵌められ、この連結片の上部が嵌まる凹所が、凹段部が形成された床板本体に形成されており、連結片の下端部は、雄実を雌実に嵌める際に連結片が雄実と衝突・干渉しないように下側に退避した状態で、床板本体の下面から下方に突出するようになされているものである。
【発明の効果】
【０００５】
本発明は前記した如き構成によって以下の如き効果を奏する。
請求項１及び２の発明によれば、連結片が雄実と衝突・干渉しないように連結片を下側に退避させた状態として、雄実を雌実に嵌め、その後、雄実と雌実との嵌合部を、下地材に押し付ければ、下地材により連結片が押し上げられて自動的に凹所に嵌まるので、即ち、従来と相違して雄実を雌実に嵌める作業と連結片を凹所に嵌める作業とを一挙・同時に行う必要がないので、床板の連結作業が行いやすい。
【発明を実施するための最良の形態】
【０００６】
以下に、２つの、本発明の実施の形態を説明する。
なお、これらの説明において同一の部材は同一の符号で示す。
【０００７】
［第１の実施の形態］（図１〜図３参照）
なお、この説明において、前とは図１下側を、後とは同図上側をいい、左とは図１左側を、右とは同図右側をいう。
【０００８】
床板１は、平面形状矩形の床板本体３と、この床板本体３の相互に対向する前後縁部の前縁部に形成された雄実４と、同後縁部に形成された雌実５とを有している。なお、床板１の左右の縁部には雄実４、雌実５は形成されていない。
【０００９】
図２に示すごとく、前記雌実５を形成する下側側壁７に上下方向に貫通する貫通孔８が、下側側壁７の長手方向に沿って所定間隔で形成され、これら貫通孔８に連結片１０が上下動自在に嵌められ、これら連結片１０の上部が嵌まる凹所１１が雄実４の下部に形成されている。
【００１０】
前記連結片１０の下端部は、雄実４を雌実５（隣接の床板１の雌実５）に嵌める際に連結片１０が雄実４と衝突・干渉しないように下側に退避した状態で、床板本体３の下面から下方に突出するようになされている。
【００１１】
次に、図３を参照しつつ床板１の施工方法につき説明する。
既に雄実４側の縁部の下地材１３への取り付けが完了した第１の床板１（図３の右側の床板１）の、雌実５側の縁部の下面は、床板本体３の下面から下方に突出した状態の連結片１０により、下地材１３から少し浮いた状態にある。なお、第１の床板１が対向する、下地材１３の上面には既に接着剤が塗布されている。
前記第１の床板１の雌実５に、第２の床板１の雄実４を嵌合させる。なお、この作業の前に、第２の床板１が対向する、下地材１３の上面に接着剤を塗布しておく。なお、第２の床板１の連結片１０は、雄実４と衝突・干渉しないように下側に退避した状態となされていることは云うまでもない。
その後、第１の床板１の雌実５と第２の床板１の雄実４との嵌合部を下地材１３に押し付ける。この作業により下地材１３により連結片１０が押し上げられて自動的に凹所１１に嵌まる。それに伴って第１の床板１は下地材１３に完全固定される。
以下、同様の作業を行って、床板１の下地材１３への施工が行われる。
【００１２】
［第２の実施の形態］（図４参照）
なお、この説明において、前とは図４右側を、後とは同図左側をいい、左とは図４紙面表側を、右とは同裏側をいう。
【００１３】
この実施の形態の床板１８の雌実５を形成する下側側壁７には、突出壁１６が後方突出状に連設され、この突出壁１６が嵌まる凹段部１７が雄実４側（前側）の床板本体３の下部に形成されている。
【００１４】
前記突出壁１６に上下方向に貫通する貫通孔８が左右方向に所定間隔で形成され、これら貫通孔８に連結片１０が上下動自在に嵌められ、これら連結片１０の上部が嵌まる凹所１１が、凹段部１７が形成された床板本体３に形成されている。
この第２の実施の形態の床板１８の施工方法は、第１の実施の形態の床板１の施工方法と同様である。
【００１５】
以下に変形例等について説明を加える。
（１）床板１、１８の素材は任意である。
（２）床板本体３の左右長さは、床板本体３の前後長さ「Ｌ」の６倍であるが、それに限定されるものではない。
（３）連結片１０は、ピンでなく、雌実５の長手方向に沿って長い突条部材からなるものであってもよい。そうした場合、凹所１１が突条の連結片に対応した溝状になることは云うまでもない。
【図面の簡単な説明】
【００１６】
【図１】本発明の第１の実施の形態を示す中間省略の平面図である。
【図２】図１のＩＩ−ＩＩ線に沿う中間省略の拡大断面図である。
【図３】床板同士の連結作業を説明するための要部断面図である。
【図４】本発明の第２の実施の形態を示す、図２に相当する断面図である。
【符号の説明】
【００１７】
１  床板
３  床板本体
４  雄実
５  雌実
７  下側側壁
８  貫通孔
１０  連結片
１１  凹所
１６  突出壁
１７  凹段部
１８  床板
【図１】
2005207010.tif 000003
【図２】
2005207010.tif 000004
【図３】
2005207010.tif 000005
【図４】
2005207010.tif 000006